(57)【要約】【課題】折り畳み状態においても木口面を露出させない高品質で優れた審美性のテーブルを提供する。【解決手段】折り畳みできる天板を備えるテーブルは、主天板１と、主天板１に折り曲げ自在に連結しているサブ天板２と、主天板１とサブ天板２とを折り畳み自在に連結する蝶番３とを備える。主天板１とサブ天板２は、連結端面１Ｘ、２Ｘを傾斜面とし、連結端面１Ｘ、２Ｘは、サブ天板２が上下方向に伸びる姿勢に折り畳みできる傾斜角とする。蝶番３は、サブ天板２の連結端面２Ｘに連結している回転軸４と、回転軸４を回転自在に連結するスライドシャフト５とを備える。回転軸４は、サブ天板２の連結端面２Ｘに長手方向に伸びる姿勢で連結され、スライドシャフト５は、回転軸４を直交する姿勢で回転自在に先端部に連結し、かつ、主天板１表面と平行な姿勢で、軸方向に往復運動自在に連結される。【選択図】図２
2020202970.tif 000002
【特許請求の範囲】
【請求項１】
主天板と、
前記主天板に折り曲げ自在に連結してなるサブ天板と、
前記主天板と前記サブ天板とを折り畳み自在に連結してなる蝶番とを備えるテーブルであって、
前記主天板と前記サブ天板は、連結端面を傾斜面としており、
前記連結端面は、前記サブ天板が上下方向に伸びる姿勢に折り畳みできる傾斜角で、
前記蝶番は、
前記サブ天板の連結端面に連結してなる回転軸と、
前記回転軸を回転自在に連結してなるスライドシャフトとを備え、
前記回転軸は、前記サブ天板の連結端面に、連結端面の長手方向に伸びる姿勢で連結され、
前記スライドシャフトは、
前記回転軸を直交する姿勢で回転自在に先端部に連結しており、かつ
前記主天板表面と平行な姿勢で、軸方向に往復運動自在に連結されてなり、
前記スライドシャフトの押し出し状態で、前記サブ天板が前記回転軸を中心に傾動して折り曲げされ、
前記スライドシャフトの引き込み状態で、前記サブ天板が折り畳み状態で、前記サブ天板と前記主天板の前記連結端面が接近して配置されてなる折り畳みできる天板を備えるテーブル。
【請求項２】
請求項１に記載する折り畳みできる天板を備えるテーブルであって、
前記連結端面の傾斜角（α）が４５度であることを特長とする折り畳みできる天板を備えるテーブル。
【請求項３】
請求項１又は２のいずれかに記載する折り畳みできる天板を備えるテーブルであって、
前記回転軸が、前記サブ天板の連結端面の中央に沿って前記サブ天板に連結されてなることを特徴とする折り畳みできる天板を備えるテーブル。
【請求項４】
請求項１ないし３のいずれかに記載する折り畳みできる天板を備えるテーブルであって、
前記サブ天板の連結端面に垂直姿勢に固定されて、前記回転軸を前記サブ天板に連結してなる固定プレートを備え、
前記固定プレートが、前記回転軸を挿通してなる貫通穴を備え、
前記貫通穴に前記回転軸が挿通されて、前記回転軸が前記サブ天板に固定されてなることを特徴とする折り畳みできる天板を備えるテーブル。
【請求項５】
請求項４に記載される折り畳みできる天板を備えるテーブルであって、
前記サブ天板の連結端面に固定されて、前記回転軸を内側に配置してなる溝形ボックスを備え、
前記固定プレートが前記溝形ボックスの内側に固定されてなることを特徴とする折り畳みできる天板を備えるテーブル。
【請求項６】
請求項１ないし５に記載される折り畳みできる天板を備えるテーブルであって、
前記スライドシャフトを往復運動自在に内蔵して、前記主天板に固定されてなる筒状のケーシングを備えることを特徴とする折り畳みできる天板を備えるテーブル。
【請求項７】
請求項１ないし６のいずれかに記載される折り畳みできる天板を備えるテーブルであって、
前記スライドシャフトが、前記主天板内に配置されてなることを特徴とする折り畳みできる天板を備えるテーブル。
【請求項８】
請求項１ないし７のいずれかに記載する折り畳みできる天板を備えるテーブルであって、
前記主天板が、複数の前記スライドシャフトを平行姿勢に配置してなり、
各々の前記スライドシャフトの先端部に前記回転軸を連結してなることを特徴とする折り畳みできる天板を備えるテーブル。
【請求項９】
請求項１ないし８のいずれかに記載する折り畳みできる天板を備えるテーブルであって、
前記スライドシャフトの後端に連結されて、前記スライドシャフトを往復運動させる回転レバーを備え、
前記回転レバーが傾動されて、前記スライドシャフトが往復運動して前記サブ天板を折り畳みすることを特徴とする折り畳みできる天板を備えるテーブル。
【請求項１０】
請求項１ないし９のいずれかに記載する折り畳みできる天板を備えるテーブルであって、
前記サブ天板を水平姿勢に保持するストッパを備えることを特徴とする折り畳みできる天板を備えるテーブル。
【発明の詳細な説明】
【技術分野】
【０００１】
本発明は、主天板にサブ天板を連結して、サブ天板を折り畳みできるように主天板に連結してなるテーブルに関する。
【背景技術】
【０００２】
水平姿勢の主天板に折り畳みできるようにサブ天板を連結しているテーブルは開発されている。（特許文献１参照）
この公報に記載するテーブルは、蝶番を介してサブ天板を折り畳みできるように主天板に連結している。
【先行技術文献】
【特許文献】
【０００３】
【特許文献１】実開平７?１４９２４号公報
【発明の概要】
【発明が解決しようとする課題】
【０００４】
サブ天板と主天板の連結端縁部の底面に蝶番を固定して、蝶番でサブ天板を折り畳みするテーブルは、サブ天板を垂直姿勢に折り畳みする状態で、サブ天板と主天板の木口面が直交姿勢で露出する。したがって、サブ天板を折り畳みする状態でスッキリと美しいデザインにできない欠点がある。また、直角に露出する木口面は、埃が溜まりやすく、また埃の除去に手間がかかる等の欠点もある。
【０００５】
本発明は、天板を折り畳みできる従来のテーブルの欠点を解消することを目的に開発されたもので、本発明の大切な目的は、簡単な構造で、折り畳み状態においても木口面を露出させない高品質で優れた審美性のテーブルを提供することにある。
【課題を解決するための手段】
【０００６】
本発明のある態様に係る折り畳みできる天板を備えるテーブルは、主天板と、主天板に折り曲げ自在に連結しているサブ天板と、主天板とサブ天板とを折り畳み自在に連結している蝶番とを備えている。主天板とサブ天板は、連結端面を傾斜面としており、連結端面は、サブ天板が上下方向に伸びる姿勢に折り畳みできる傾斜角としている。蝶番は、サブ天板の傾斜面に連結してなる回転軸と、回転軸を回転自在に連結しているスライドシャフトとを備えている。回転軸は、サブ天板の傾斜面に、連結端面の長手方向に伸びる姿勢で連結され、スライドシャフトは、回転軸を直交する姿勢で回転自在に先端部に連結しており、かつ、主天板表面と平行な姿勢で、軸方向に往復運動自在に連結されている。スライドシャフトの押し出し状態で、サブ天板が回転軸を中心に傾動して折り曲げされ、スライドシャフトの引き込み状態で、サブ天板が折り畳み状態で、サブ天板と主天板の連結端面が接近して配置される。
【発明の効果】
【０００７】
本発明の折り畳みできる天板を備えるテーブルは、サブ天板を折り畳んだ状態において、主天板とサブ天板の各々の木口面を露出させることなく、主天板とサブ天板とを直交姿勢に配置することができ、美しい外観とすることができる。
【図面の簡単な説明】
【０００８】
【図１】本発明の一実施形態に係るテーブルの斜視図である。
【図２】図１に示すテーブルのサブ天板を折り畳んだ状態を示す斜視図である。
【図３】図１に示すテーブルの蝶番と回転レバーを示す部分拡大図である。
【図４】図２に示すテーブルの蝶番と回転レバーを示す部分拡大図である。
【図５】スライドシャフトの引き込み状態で、サブ天板を折り畳んだ状態の要部拡大断面図である。
【図６】スライドシャフトの押し出し状態で、サブ天板を折り畳んだ状態の要部拡大断面図である。
【図７】スライドシャフトの押し出し状態で、サブ天板を展開した状態の要部拡大断面図である。
【発明を実施するための最良の形態】
【０００９】
以下、図面に基づいて本発明を詳細に説明する。なお、以下の説明では、必要に応じて特定の方向や位置を示す用語（例えば、「上」、「下」、及びそれらの用語を含む別の用語）を用いるが、それらの用語の使用は図面を参照した発明の理解を容易にするためであって、それらの用語の意味によって本発明の技術的範囲が制限されるものではない。また、複数の図面に表れる同一符号の部分は同一もしくは同等の部分又は部材を示す。
さらに以下に示す実施形態は、本発明の技術思想を具体例を示するものであって、本発明を以下に限定するものではない。また、以下に記載されている構成部品の寸法、材質、形状、その相対的配置等は、特定的な記載がない限り、本発明の範囲をそれのみに限定する趣旨ではなく、例示することを意図したものである。また、一の実施の形態、実施例において説明する内容は、他の実施の形態、実施例にも適用可能である。また、図面が示す部材の大きさや位置関係等は、説明を明確にするため、誇張していることがある。
【００１０】
本発明の第１の発明に係る折り畳みできる天板を備えるテーブルは、主天板と、主天板に折り曲げ自在に連結しているサブ天板と、主天板とサブ天板とを折り畳み自在に連結してなる蝶番とを備えるテーブルであって、主天板と前記サブ天板は、連結端面を傾斜面としており、連結端面は、サブ天板が上下方向に伸びる姿勢に折り畳みできる傾斜角で、蝶番は、サブ天板の傾斜面に連結してなる回転軸と、回転軸を回転自在に連結してなるスライドシャフトとを備え、回転軸は、サブ天板の傾斜面に、連結端面の長手方向に伸びる姿勢で連結され、スライドシャフトは、回転軸を直交する姿勢で回転自在に先端部に連結しており、かつ、主天板表面と平行な姿勢で、軸方向に往復運動自在に連結されており、スライドシャフトの押し出し状態で、サブ天板が前記回転軸を中心に傾動して折り曲げされ、スライドシャフトの引き込み状態で、サブ天板が折り畳み状態で、サブ天板と主天板の連結端面が接近して配置されている。
【００１１】
以上の折り畳みできる天板を備えるテーブルは、サブ天板の折り畳み状態において、主天板とサブ天板の木口面を露出させない優れた審美性を有する。それは、以上のテーブルが、主天板とサブ天板との連結部の連結端面を傾斜面とし、さらに、サブ天板を折り畳んだ状態において、互いの連結端面を当接させるように配置する蝶番を備えているからである。本発明のテーブルが備える蝶番は、サブ天板に連結した回転軸でサブ天板を傾動し、さらに回転軸と連結したスライドシャフトでサブ天板を移動する。これにより、サブ天板を折り畳み状態とする時は、スライドシャフトを押し出してサブ天板と主天板の互いの連結端面が離れた位置でサブ天板を傾動して折り畳み、この状態でスライドシャフトを引き込むことで、サブ天板と主天板の連結端面を接近させることができる。さらに、主天板とサブ天板の連結端面を傾斜面に形成しているので、互いの連結端面同士を当接させて、連結部の木口面を露出させることなく、美しい外観とすることができる。
【００１２】
本発明の第２の発明に係る折り畳みできる天板を備えるテーブルは、連結端面の傾斜角（α）が４５度である。以上の折り畳みできる天板を備えるテーブルは、主天板とサブ天板の連結端面の傾斜角（α）を４５度とすることで、各々の連結端面の傾斜角（α）の和を９０度にしている。これにより、サブ天板を折り畳んで互いの連結端面同士を接近させた状態において、主天板とサブ天板とが直交姿勢に配置され、サブ天板を折り畳んだ状態でも審美性の高いテーブルにすることができる。
【００１３】
本発明の第３の発明に係る折り畳みできる天板を備えるテーブルは、回転軸が、サブ天板連結端面の中央に沿ってサブ天板に連結されている。以上のテーブルは、回転軸をサブ天板の連結端面の中央に沿って配置することにより、回転軸をテーブルの外観上に表出させることなく、スッキリとしたデザインのテーブルにすることができる。
【００１４】
本発明の第４の発明に係る折り畳みできる天板を備えるテーブルは、サブ天板の裏面に垂直姿勢に固定されて、回転軸をサブ天板に連結している固定プレートを備え、固定プレートが、回転軸を挿通する貫通穴を備え、貫通穴に回転軸が挿通されて、回転軸がサブ天板に固定されている。以上のテーブルは、固定プレートで回転軸を連結しているので、回転軸を容易にサブ天板に連結することができる。
【００１５】
本発明の第５の発明に係る折り畳みできる天板を備えるテーブルは、サブ天板の裏面に固定されて、回転軸を内側に配置している溝形ボックスを備え、固定プレートが溝形ボックスの内側に固定されている。以上のテーブルは、固定プレートを溝型ボックスに固定するので、固定プレートの位置決めを行い易い。また、溝型ボックスを備えることで、連結端面の強度を高めることができるので、固定プレートをサブ天板に強固に固定できると共に、固定プレートを介して連結される回転軸を確実に配置することができる。
【００１６】
本発明の第６の発明に係る折り畳みできる天板を備えるテーブルは、スライドシャフトを往復運動自在に内蔵して、主天板に固定されている筒状のケーシングを備える。このテーブルは、スライドシャフトを筒状のケーシングに内蔵することで、スライドシャフトの往復運動をよりスムーズに行うことができる。また、スライドシャフトがケーシングに内蔵されることで、スライドシャフトの位置決めも容易にできる。
【００１７】
本発明の第７の発明に係る折り畳みできる天板を備えるテーブルは、スライドシャフトが、主天板内に配置されている。このテーブルは、スライドシャフトを主天板の内部に配置することで、ケーシングをテーブルの外観上に表出させることなく、デザイン性の高いテーブルにすることができる。また、スライドシャフトを主天板の内部に配置することで、埃などの異物が付着することを防ぎ、スライドシャフトが常にスムーズに往復運動できる。
【００１８】
本発明の第８の発明に係る折り畳みできる天板を備えるテーブルは、主天板が、複数のスライドシャフトを平行姿勢に配置しており、各々のスライドシャフトの先端部に回転軸を連結している。このテーブルは、主天板に複数のスライドシャフトを配置することで、サブ天板に連結している回転軸を複数のスライドシャフトで連結して保持するので、サブ天板を安定した姿勢で往復移動させることができる。したがって、サブ天板の移動をより楽に、かつスムーズに行える。
【００１９】
本発明の第９の発明に係る折り畳みできる天板を備えるテーブルは、スライドシャフトの後端に連結されて、スライドシャフトを往復運動させる回転レバーを備え、回転レバーが傾動されて、スライドシャフトが往復運動してサブ天板を折り畳んでいる。このテーブルは、スライドシャフトを回転レバーの傾動で往復運動させるので、簡単かつ容易にスライドシャフトを往復運動させることができる。また、回転レバーをスライドシャフトの後端に連結することにより、スライドシャフトを押し出す力を少なくすることもできる。
【００２０】
本発明の第１０の発明に係る折り畳みできる天板を備えるテーブルは、サブ天板を水平姿勢に保持するストッパを備えている。このテーブルは、サブ天板をストッパで水平姿勢に保持するので、簡単な構造でサブ天板を水平状態に保持できる。
【００２１】
本発明の折り畳みできる天板を備えるテーブルは、主としてダイニングテーブルとして利用できる。一般的にダイニングテーブルは、使用する人数に応じて天板の大きさを選ぶが、例えば、テーブルを設置する場所や環境により、その大きさが限定される場合がある。また、来客などで使用する人数が一時的に増える場合もある。このような時に、天板の大きさを変更できるテーブルは、非常に便利である。本発明のテーブルは、使用状態に合わせて天板の大きさを変更できる利便性と共に、家具としての審美性も兼ねたダイニングテーブルとして利用できる。ただし、本発明のテーブルは、ダイニングテーブルに用途を限定するものではなく、サイドテーブルやローテーブル、さらにはオフィス用の会議テーブル等、種々のテーブルとして利用できる。以下、本実施形態では、ダイニングテーブルとして利用する場合について詳述する。
【００２２】
（実施の形態１）
図１及び図２に示す折り畳みできる天板を備えるテーブル１００は、主天板１と、主天板１に折り曲げ自在に連結しているサブ天板２と、主天板１とサブ天板２とを折り畳み自在に連結している蝶番３とを備えている。蝶番３は、固定プレート６を介してサブ天板２に連結している回転軸４と、回転軸４を先端に連結しているスライドシャフト５とを備えている。テーブル１００は、このスライドシャフト５の押し出し状態で、サブ天板２が傾動できる状態とし、スライドシャフト５の引き込み状態でサブ天板２を折り畳み状態として、サブ天板２と主天板１とを接近して配置させている。
【００２３】
（主天板）
主天板１は、外形を方形状とする板材である。図１及び図２に示す主天板１は、長方形の板材としている。なお、本明細書内において、長方形状の主天板の長手方向をテーブルの長さ方向、主天板の短手方向をテーブルの幅方向の意味に使用する。板材は、無垢の木板や集成材等の加工板を使用できる。加工板は、表面に突き板を貼付けし、あるいは木目を印刷することで外観を美しくすることができる。また、主天板１として用いる板材は木製に限らず、大理石等の石材や、ステンレス等の金属材を使用することもできる。また、図７に示す主天板１は、一端側の木口面、すなわち主天板１の短手方向の木口面を傾斜面に形成し、この傾斜面をサブ天板２の木口面との連結端面１Ｘとしている。主天板１の連結端面１Ｘの傾斜角（α）は、サブ天板２を上下方向に伸びる姿勢に折り畳みできる角度とし、好ましくは４５度とする。
【００２４】
図１に示す主天板１は、収納脚２０と支持脚２５とで水平姿勢に配置される。収納脚２０は、主天板１の下方であって連結端面１Ｘ側に配置される。支持脚２５は、連結端面１Ｘ側と反対側の端面側の隅部に配置される。収納脚２０は、後述するストッパ１５を収納可能な収納部２４を有する脚部である。図１及び図２に示す収納脚２０は、一対の側板２１と、側板２１同士の間に水平姿勢に配置される水平板２２と、水平板２２の上面に垂直姿勢に配置される背板２３とを備えている。側板２１は、主天板１を下方から支持する脚である。図１に示す側板２１は、所定の幅を有する板材で、主天板１の短手方向の両側端部に垂直姿勢で互いに平行に配置している。さらに側板２１は、幅方向の一端側を主天板１の連結端面１Ｘの下端に位置するよう配置している。一対の側板２１の間に配置される水平板２２は、側板２１同士を連結して収納脚２０の強度を高めると共に、後述するストッパ１５を連結する。図１に示す水平板２２は、側板２１と等しい幅に形成した一枚の板材である。水平板２２は、側板２１の高さ方向において中央部に水平姿勢に配置し、両端部を側板２１に固定している。側板２１に固定された水平板２２は、主天板１の連結端面１Ｘの下方に位置する一方の側縁にストッパ１５を連結するための軸受け穴１６を設けている。また、水平板２２の他方の側縁には背板２３が固定される。背板２３は一枚の板材で、側板２１の間であって水平板２２の上面に、垂直姿勢で配置される。垂直姿勢の背板２３は、両端部を側板２１に、上縁を主天板１に、下縁を水平板２２にそれぞれ固定している。収納脚２０は、以上の側板２１と水平板２２と背板２３との内側に収納部２４を形成し、この収納部２４にストッパ１５を収納する。収納脚２０の対向側に配置される支持脚２５は、所定の長さに形成した一対の柱体で、主天板１の一端側であって隅部に各々配置している。なお、図に示す支持脚２５は四角柱であるが、多角柱や丸柱、さらには筒体や板状とすることもできる。
【００２５】
（サブ天板）
サブ天板２は、主天板１に蝶番３を介して連結している。図１及び図２に示すサブ天板２は、外形を方形状とする板材で、主天板１と同様の材質、例えば無垢板や加工板等とする。なお、サブ天板は、デザイン性や用途により主天板と異なる材質を使用することもできる。図７に示すサブ天板２は、主天板１との連結側の木口面を傾斜面に形成し、この傾斜面をサブ天板２の連結端面２Ｘとしている。図１に示すテーブル１００は、サブ天板２の連結端面２Ｘと主天板１の連結端面１Ｘとの長さを等しくしている。各々の連結端面１Ｘ、２Ｘの長さを等しくすることで、主天板１とサブ天板２との連結部を綺麗に仕上げることができ、サブ天板２を展開した状態においては、一枚板の天板のように美しいテーブル１００とすることができる。
【００２６】
主天板１とサブ天板２は、互いの連結部側の木口面を傾斜面に形成して連結端面１Ｘ、２Ｘとしている。連結端面１Ｘ、２Ｘの傾斜角（α）は、サブ天板２を上下方向に伸びる姿勢に折り畳みできる角度である。図５に示す主天板１とサブ天板２は、連結端面１Ｘ、２Ｘの傾斜角（α）を４５度とし、各々の連結端面１Ｘ、２Ｘの傾斜角（α）の和を９０度としている。これにより、サブ天板２を折り畳んだ状態において、各々の連結端面１Ｘ、２Ｘ同士が当接することで互いの木口面を露出させることなく、主天板１とサブ天板２とを直交姿勢に配置できる。
【００２７】
さらに、図５〜図７に示すサブ天板２は、連結端面２Ｘに沿って溝型ボックス７を固定している。溝型ボックス７は、後述する蝶番３の回転軸４を内側に配置する部材である。図に示す溝型ボックス７は、金属製や樹脂製の板材を折曲加工してコ字状の凹部を形成し、凹部の両側壁の先端部をそれぞれ外側に折り曲げて鍔部を設けている。溝型ボックス７は、サブ天板２の連結端面２Ｘの長手方向に沿うように延在して、連結端面２Ｘに固定されている。固定された状態で、溝形ボックス７は、側面視において凹部中央を、連結端面２Ｘの中央に配置している。さらに、溝型ボックス７は、連結端面２Ｘに設けた凹部に配置して、サブ天板２の連結端面２Ｘから突出しない構造としている。この構造は、連結端面１Ｘ、２Ｘ同士を当接させて直角に連結できるので、主天板とサブ天板２を隙間なく綺麗に折り畳むことができる。なお、溝型ボックス７は、鍔部を設けずにコ字状の凹部のみとすることもできる。
【００２８】
（蝶番）
蝶番３は、主天板１とサブ天板２とを折り畳み自在に連結している。図１〜図７に示す蝶番３は、サブ天板２に連結している回転軸４と、回転軸４に先端を連結して主天板側に連結しているスライドシャフト５とを備えている。スライドシャフト５は軸方向に移動して、サブ天板を水平方向に往復移動させる。回転軸４は、サブ天板２を水平姿勢から垂直姿勢に傾動させて、折り畳みする。
【００２９】
図１〜図７に示す回転軸４は、直径３〜１０ｍｍの所定の長さの丸棒である。また、回転軸４は、金属製や樹脂製とする。回転軸４の長さは、主天板１及びサブ天板２の大きさや、スライドシャフト５の配置位置に応じて適宜調整する。所定の長さの回転軸４は、サブ天板２の連結端面２Ｘに沿って長手方向に伸びる姿勢に配置される。回転軸４は、固定プレート６を介してサブ天板２に連結される。固定プレート６は、金属製や樹脂製の板材を正面視砲弾型状に形成したプレートである。固定プレート６は、回転軸４を挿通する貫通穴６ａを設けている。貫通穴６ａは、回転軸４の外形に沿う形状であって、回転軸４の外径よりも僅かに大きい内径としている。貫通穴６ａの設けられた固定プレート６は、サブ天板２に固定される。図５〜図７に示す固定プレート６は、溝型ボックス７を介してサブ天板２に固定される。固定プレート６は、例えば折曲片を設けて、サブ天板２の連結端面２Ｘに固定した溝型ボックス７の内側に、折曲片を介して垂直姿勢に固定される。また、図に示す固定プレート６は、側面視において、貫通穴６ａが連結端面２Ｘの中央部に位置するよう配置される。これにより、回転軸４は、中心軸をサブ天板２の連結端面２Ｘの中央に配置される。サブ天板２は回転軸４を中心に傾動するが、回転軸４を連結端面２Ｘの中央に配置することで、サブ天板２をスムーズに傾動することができる。さらに、固定プレート６は、回転軸４を確実に保持するために、複数個を溝型ボックス７に固定している。固定プレート６の固定位置は、回転軸４の両端部と中間部とが好ましく、回転軸４の長さに応じて適宜調整する。
【００３０】
サブ天板２に連結された回転軸４は、回転軸４と直交する姿勢に配置されたスライドシャフト５の先端部に連結している。スライドシャフト５は、主天板１の表面と平行な姿勢で、往復運動自在に主天板１に配置される。図１〜図７に示すスライドシャフト５は、直径８〜１５ｍｍの金属ロッドや樹脂ロッドとし、所定の長さに形成している。スライドシャフト５の直径と長さは、サブ天板の大きさや重量に応じて調整する。また、図３及び図４に示すスライドシャフト５は、先端部に連結穴５ａを設けている。連結穴５ａは、スライドシャフト５の軸方向に対して直交する方向であって、水平方向に貫通するよう開口した穴である。連結穴５ａは、回転軸４の外形に沿う形状であって、回転軸４の外径よりも僅かに大きい内径とする。スライドシャフト５は、この連結穴５ａに回転軸４を挿通することで、回転軸４を回転自在に支承すると共に、回転軸４を介してサブ天板２と連結される。
【００３１】
さらに、図１〜図７に示すスライドシャフト５は、主天板１に固定したケーシング８に内蔵される。ケーシング８は、スライドシャフト５をスライドシャフト５の軸方向に往復運動自在に配置する。ケーシング８は、金属製や樹脂製の筒状で、内部にシャフトを収納した状態で軸方向に往復運動できる内形としている。図に示すケーシング８は、内形をスライドシャフト５の外形と同形状とし、内径をスライドシャフト５の外径より僅かに大きくして、スライドシャフト５を内蔵している。スライドシャフト５の外形とケーシング８の内形を同形状とすることで、ゴミや埃等の異物の侵入を防ぎ、スライドシャフト５をスムーズに往復運動させることができる。ただし、円柱状のスライドシャフト５に対して、ケーシングの内形を正方形状とすると、接触面積を小さくし、摩擦抵抗を減らして往復運動しやすくすることもできる。また、ケーシング８は、その長さをスライドシャフト５の長さよりも短くし、回転軸４との連結部及び後述する回転レバー１０との連結部と干渉しないようにしている。
【００３２】
さらに、ケーシング８は、主天板１の内部に固定している。図１〜図７に示すケーシング８は、主天板１の厚み方向の中央部に位置するよう配置している。主天板１へのケーシング８の固定は、例えば、主天板１の連結端面１Ｘ側からケーシング８を配置できるだけの嵌入穴を設け、この嵌入穴にケーシング８を嵌入させることで、主天板１の内部にケーシング８を固定する。テーブル１００は、ケーシング８を主天板１の内部に固定することで蝶番３を構成する部材が外部に露出せず、より審美性を高められる。また、ケーシング８を主天板１の内部に配置することで、部材の破損を防止することもできる。
【００３３】
図１及び図２に示すテーブル１００は、複数のスライドシャフト５を備えている。図に示す複数のスライドシャフト５は、それぞれのケーシング８に内蔵され、往復運動自在に配置される。スライドシャフト５の個数は、主天板１およびサブ天板２の大きさや重量によって適宜調整することができる。図に示す複数のスライドシャフト５は、テーブル１００の幅方向、すなわち主天板１の短手方向において中央部と両端部に、互いを平行姿勢に配置している。各々のスライドシャフト５の先端部に設けた連結穴５ａに回転軸４を挿通し、回転軸４を回転自在に支承している。複数のスライドシャフト５を設けたテーブル１００は、サブ天板２を安定した姿勢に保持しながら、よりスムーズに往復移動させることができる。
【００３４】
以上の構造の蝶番３は、側面視において、サブ天板２の連結端面２Ｘにおける連結端面２Ｘの先端縁から回転軸４の軸心までの長さ（Ｌ２）と、主天板１の連結端面１Ｘにおける連結端面１Ｘの先端縁からスライドシャフト５の軸心までの長さ（Ｌ１）とを等しくしている。この構造により、サブ天板２を折り畳んで接近させた状態では、各々の連結端面１Ｘ、２Ｘが互いに密着するように当接するので、木口面が露出せずスッキリとした綺麗な折り畳みデザインとなる。また、この構造の蝶番３は、主天板とサブ天板の厚みが異なる場合のテーブルにも利用できる。
【００３５】
（回転レバー）
さらに、テーブル１００は、スライドシャフト５を往復運動して、サブ天板を傾動させるために、主天板１の下面側に回転レバー１０を備えている。図１〜図７に示す回転レバー１０は、スライドシャフト５に連結している駆動アーム１１と、駆動アーム１１の一端側に固定される駆動ロッド１２と、駆動ロッド１２に固定されて駆動ロッド１２を回転させるレバーハンドル１３とを備えている。
【００３６】
駆動アーム１１は、スライドシャフト５の後端部に連結している。図３及び図４に示す駆動アーム１１は、金属製や樹脂製の板材を長円形状に形成し、両端部にそれぞれ貫通穴１１ａ、１１ｂを設けている。駆動アーム１１の一端側の貫通穴１１ａには、駆動ロッド１２を挿通して固定状態とし、他端側の貫通穴１１ｂには回転ピンを挿通してスライドシャフト５と回動自在に連結している。
【００３７】
駆動ロッド１２は、駆動ロッド１２で傾動される駆動アーム１１を介して、スライドシャフト５を往復運動させる。図１及び図２に示す駆動ロッド１２は、主天板１に配置された複数のスライドシャフト５同士を駆動アーム１１を介して連結し、複数のスライドシャフト５を往復運動している。なお、複数のスライドシャフト５を設けない場合は、この駆動ロッド１２を省略することもできる。図に示す駆動ロッド１２は、所定の長さに形成した金属製や樹脂製の丸棒、または丸パイプである。所定の長さに形成された駆動ロッド１２は、各々のスライドシャフト５に連結された駆動アーム１１の貫通穴１１ａに挿通され、かつ固定される。また、駆動ロッド１２は、主天板１の下面に固定している軸受プレート１４によって軸支されて、主天板１に確実に連結される。軸受プレート１４は、上下方向に伸びる長穴１４ａを設けている。駆動ロッド１２は、この長穴１４ａに挿通される。駆動アーム１１の一端側を固定している駆動ロッド１２は、駆動アーム１１の他端側が連結されるスライドシャフト５の往復運動に伴い上下方向に移動するため、軸受プレート１４にはこの上下動を許容するための長穴１４ａを設けている。各々の駆動アーム１１が固定されて、軸受プレート１４で主天板１に連結される駆動ロッド１２は、その一端部にレバーハンドル１３を固定している。
【００３８】
レバーハンドル１３は、駆動ロッド１２の一端部にＬ字状に連結されており、スライドシャフト５を往復運動させる際に、ユーザーによって操作される。レバーハンドル１３は、別部材として駆動ロッド１２の端部に固定することができ、あるいは、駆動ロッド１２と一体構造として端部を折曲加工して設けることもできる。駆動ロッド１２と別部材とするレバーハンドル１３は、金属製や樹脂製の、操作する人が手で握れる程度の長さに形成した丸棒または丸パイプとする。
【００３９】
以上の構成で形成される回転レバー１０は、側面視において、駆動アーム１１とレバーハンドル１３とを、く字状の姿勢となるように駆動ロッド１２に固定している。これにより、レバーハンドル１３を傾動させることでスライドシャフト５が往復運動する。レバーハンドル１３を水平姿勢に配置すると、スライドシャフト５が連結端面１Ｘ側に押し出される。この状態をスライドシャフト５の押し出し状態とする。また、レバーハンドル１３を下方に傾動させると、スライドシャフト５が後端側に引き込まれる。この状態をスライドシャフト５の引き込み状態とする。
【００４０】
図６に示すように、レバーハンドル１３を主天板１の下面に沿う水平姿勢とする状態では、駆動ロッド１２を介して傾動される駆動アーム１１が、スライドシャフト５の押し出し方向に傾斜した姿勢となる。この姿勢の駆動アーム１１は、スライドシャフト５の後端部を押し出し方向に押し出して、スライドシャフト５を前進位置とする。すなわち、スライドシャフト５を押し出し方向に前進させて、その先端が主天板１の連結端面１Ｘから突出する押し出し状態とする。このとき、スライドシャフト５の押し出し方向への移動は、回動するレバーハンドル１３が主天板１の下面に当接することで停止される。
【００４１】
また、図７に示すように、レバーハンドル１３を主点板の下面に対して垂直姿勢とする状態では、駆動アーム１１は、スライドシャフト５の引き込み方向に傾斜した姿勢となる。この姿勢の駆動アーム１１は、スライドシャフト５の後端部を引き込み方向に引っ張って、スライドシャフト５を後退位置とする。すなわち、スライドシャフト５を引き込み方向に後退させて、その先端が主天板１の連結端面１Ｘまで引き込まれた状態とする。このとき、スライドシャフト５の引き込み方向への移動は、先端部に連結された回転軸４が主天板１の連結端面１Ｘに当接することで停止される。
【００４２】
ここで、図６の断面視において、駆動アーム１１とレバーハンドル１３とがなす角を１３５度とすることで、レバーハンドル１３を水平姿勢から垂直姿勢に回動させる状態では、駆動ロッド１２を通る鉛直ラインに対して、駆動アーム１１が左４５度から右４５度に向かって左右対称に傾動するので、スライドシャフト５を理想的に往復運動できる。
【００４３】
（ストッパ）
ストッパ１５は、展開されたサブ天板２を下方から支持して水平姿勢に保持するための部材である。図１及び図２、図５〜図７に示すストッパ１５は、水平面内で回動できるように収納脚２０に配置されている。ストッパ１５は、木製や金属製および樹脂製で、所定の厚みを有しており、側面視Ｌ字状に形成している。Ｌ字状のストッパ１５は、上下方向に配置される連結部１５Ａと、連結部１５Ａの上端部から水平方向に延びる支持部１５Ｂとを備えている。このストッパ１５は、連結部１５Ａが主天板１と収納脚２０に対して回動自在に連結されており、展開されたサブ天板２を支持部１５Ｂで支持するようにしている。ストッパ１５は、連結部１５Ａの上下に設けた回動軸１５ａを介して主天板１と収納脚２０の水平板２２との間に回動自在に配置される。図５〜図７に示す回動軸１５ａは、連結部１５Ａの上下に突出する円柱状の凸部としている。上下の凸部は同一直線上に配置されている。連結部１５Ａの上面に配設された凸部は、主天板１の裏面に設けた軸受け穴１６に挿入される。連結部１５Ａの下面に配設された凸部は、水平板２２の上面に設けた軸受け穴１６に挿入される。したがって、ストッパ１５の連結部１５Ａは、主天板１と水平板２２との垂直方向の間隔と等しい高さに形成する。また、ストッパ１５は、上下面の凸部をそれぞれの軸受け穴１６に差し込むように配置することで、凸部を中心に回動可能となる。これにより、サブ天板２を水平姿勢に展開させた場合は、ストッパ１５を回動して、サブ天板２を下方から支持するように配置できる。また、サブ天板２を折り畳んだ状態では、ストッパ１５を収納脚２０側へと回動して、収納脚２０の収納部２４に収納することができるので、非常に便利に使用することができる。さらに、図１及び図２に示すストッパ１５は、主天板１の短手方向における両側端部に配置しており、サブ天板２の両側部を下方から確実に支持することができる。なお、ストッパ１５は、必ずしも回動可能であって収納部２４に収納できる構造とする必要はなく、脱着可能な構造としてサブ天板２を水平姿勢に配置した時のみ、取り付けるようにすることもできる。
【００４４】
以上の構造のテーブル１００は、スライドシャフト５の押し出し状態において、回転軸４を中心にサブ天板２を傾動して折り曲げする。サブ天板２を展開する状態では、主天板１とサブ天板２との境界部において、各々の連結端面１Ｘ、２Ｘの頂部が互いに隙間なく接近し、主天板１とサブ天板２の表面が同一平面上となるように配置される。また、スライドシャフト５の引き込み状態においては、折り畳み状態のサブ天板２と主天板１の各々の連結端面１Ｘ、２Ｘが互いに接近し、好ましくは当接する状態で配置される。したがって、サブ天板２を折り畳んだ状態においても、主天板１とサブ天板２との連結側における各々の木口面の連結端面１Ｘ、２Ｘが露出しないため、審美性の優れた折り畳みデザインのテーブル１００とすることができる。
【００４５】
以上の折り畳みできる天板を備えるテーブル１００は、以下の工程でサブ天板２を折り曲げして使用する。テーブル１００の使用状態を、図面に基づいて説明する。
（サブ天板２を水平姿勢に配置する場合）
（１）図６に示すように、回転レバー１０のレバーハンドル１３を手で把持し、レバーハンドル１３が水平姿勢となるように傾動する。レバーハンドル１３を水平姿勢に配置することで、スライドシャフト５が連結端面１Ｘ側に押し出され、スライドシャフト５の押し出し状態となる。これにより、スライドシャフト５の先端部に連結している回転軸４も押し出され、回転軸４を固定しているサブ天板２が、主天板１の連結端面１Ｘ側から離れるように移動する。
（２）図６に示すように、サブ天板２を主天板１から離した状態で、回転軸４を中心として、サブ天板２を垂直姿勢から水平姿勢に傾動する。
（３）サブ天板２を傾動して水平姿勢に配置する状態で、図７に示すように一対のストッパ１５を回動して、支持部１５Ｂがサブ天板２の下方に位置するように配置する。これにより、サブ天板２はストッパ１５で支持されて水平姿勢に保持され、テーブル１００全体の天板が広がった状態となる。
【００４６】
（サブ天板２を折り畳み状態にする場合）
（１）サブ天板２の下方に配置された一対のストッパ１５を回動し、収納部２４に収納する。
（２）図６に示すように、サブ天板２を回転軸４を中心に傾動し、サブ天板２を上下方向に伸びる姿勢に折り畳む。
（３）図７に示すように、回転レバー１０のレバーハンドル１３を下方に傾動して鉛直姿勢となるように配置する。これにより、スライドシャフト５が引き込まれ、サブ天板２が主天板１側に移動し、サブ天板２と主天板１との連結端面１Ｘが接近状態に配置される。
【産業上の利用可能性】
【００４７】
本発明の折り畳みできる天板を備えるテーブルは、サブ天板の折り畳み状態においても、木口面を露出させることのない高い審美性を有するテーブルとして、種々のテーブルに好適に利用される。
【符号の説明】
【００４８】
１００…テーブル
１…主天板
１Ｘ…連結端面
２…サブ天板
２Ｘ…連結端面
３…蝶番
４…回転軸
５…スライドシャフト
５ａ…連結穴
６…固定プレート
６ａ…貫通穴
７…溝型ボックス
８…ケーシング
１０…回転レバー
１１…駆動アーム
１１ａ、１１ｂ…貫通穴
１１ｃ…回転ピン
１２…駆動ロッド
１３…レバーハンドル
１４…軸受プレート
１４ａ…長穴
１５…ストッパ
１５Ａ…連結部
１５Ｂ…支持部
１５ａ…回動軸
１６…軸受け穴
２０…収納脚
２１…側板
２２…水平板
２３…背板
２４…収納部
２５…支持脚
【図１】
2020202970.tif 000003
【図２】
2020202970.tif 000004
【図３】
2020202970.tif 000005
【図４】
2020202970.tif 000006
【図５】
2020202970.tif 000007
【図６】
2020202970.tif 000008
【図７】
2020202970.tif 000009